(57)【要約】本発明に係る組立式植木鉢は、養液を入れる円筒状の水槽と、水槽の上部に配置され回転する回転板と、回転板を回転させる回転手段とを備える。回転板は、植物を挿入可能な筌構造部材用孔を有する。回転板の上部には、水栽培鉢の挿入を受けるための鉢挿入口が設けられ、回転板の外周には、回転手段からの回転力の伝達を受けるための回転板ギアが形成される。組立式植木鉢は、さらに、鉢挿入口に挿入され積層される水栽培鉢と、水栽培鉢の上部を覆う鉢蓋とを備える。鉢蓋は、植物を水栽培鉢内に挿入可能な筌構造部材用孔を有する。
2010510806.tif 000002
【特許請求の範囲】
【請求項１】
組立式植木鉢において、
少なくとも一つの水栽培鉢を備え、
前記水栽培鉢は、鉢挿入口および挿入部から構成され、
前記鉢挿入口が、該水栽培鉢の上部に設けられ、
前記挿入部が、前記鉢挿入口に係合する係止突起、ならびにそれぞれ上向きの第１開口及び第２開口を有しており、
前記組立式植木鉢は、さらに、
筌構造部材用孔を有する複数個の開閉式単位ブロックを備え、
前記複数個の開閉式単位ブロックは、前記鉢挿入口周辺に形成された複数個の開閉式単位ブロック用孔にそれぞれ挿入され、
前記組立式植木鉢は、さらに、
前記第１開口を通過する第１ホースと、
前記第２開口を通過し、養液の含有量を調節するための第２ホースと、
動力によって前記養液を前記第１ホース内に通して移送させるポンピング手段と、を備えたことを特徴とする組立式植木鉢。
【請求項２】
前記挿入部の終端は、歯車構造になっていることを特徴とする請求項１に記載の組立式植木鉢。
【請求項３】
前記組立式植木鉢は、回転保持部材をさらに備え、
前記回転保持部材は、
放射状に配置された複数のローラーと
前記挿入部の終端と噛み合う回転歯車と、
前記回転歯車を回転させる動力を加える回転手段と、を有することを特徴とする請求項２に記載の組立式植木鉢。
【請求項４】
前記開閉式単位ブロック用孔間には、隔壁が設けられ、
前記隔壁は、前記開閉式単位ブロックの左面及び右面を支持するように、前記開閉式単位ブロック間に配置されていることを特徴とする請求項１に記載の組立式植木鉢。
【請求項５】
組立式植木鉢において、
養液を入れる円筒状の水槽と、
前記水槽の上部に配置され回転する回転板と、
前記回転板を回転させる回転手段と、を備え、
前記回転板は、植物を挿入可能な筌構造部材用孔を有し、
前記回転板の上部には、水栽培鉢の挿入を受けるための鉢挿入口が設けられ、
前記回転板の外周には、前記回転手段からの回転力の伝達を受けるための回転板ギアが形成され、
前記組立式植木鉢は、さらに、
前記鉢挿入口に挿入され、積層される水栽培鉢と、
前記水栽培鉢の上部を覆う鉢蓋と、を備え、
前記鉢蓋は、植物を水栽培鉢内に挿入可能な筌構造部材用孔を有することを特徴とする組立式植木鉢。
【請求項６】
前記回転板は、前記水栽培鉢の挿入を受ける前記鉢挿入口の周囲において下向きに形成された隔壁を有し、
前記隔壁の高さは、前記回転板の高さに対応していることを特徴とする請求項５に記載の組立式植木鉢。
【請求項７】
前記鉢蓋には、前記水栽培鉢の挿入を受ける前記鉢挿入口の周囲において下向きに形成された隔壁を有し、
前記隔壁の高さは、前記鉢蓋高さに対応していることを特徴とする請求項５に記載の組立式植木鉢。
【請求項８】
前記鉢蓋は、該鉢蓋の上部に設けられた筌構造部材用孔と、該筌構造部材用孔の周囲に下向きに形成された隔壁とを有し、
前記筌構造部材用孔は、前記鉢挿入口の外側から植物が挿入可能になっていることを特徴とする請求項５に記載の組立式植木鉢。
【請求項９】
前記水栽培鉢は、該水栽培鉢の下部の外周面に形成された係止突起を有し、
前記係止突起は、前記回転板および鉢蓋の鉢挿入口に対する挿入深さを制限するものであることを特徴とする請求項５に記載の組立式植木鉢。
【請求項１０】
記回転手段は、ポンプ、水車およびかさ歯車からなり、
前記ポンプは、前記水槽から最上層の水栽培鉢まで養液を汲み上げるものであり、
前記水車は、前記ポンプで汲み上げられた養液中の一部が落下することによって回転するものであり、
前記かさ歯車は、前記回転板ギアに噛み合って、前記水車の垂直回転を水平回転に変換して、前記回転板を回転させるものであることを特徴とする請求項５に記載の組立式植木鉢。
【請求項１１】
前記組立式植木鉢は、ボールベアリングをさらに、備え、
前記ボールベアリングは、前記水槽及び前記回転板の接触面における前記回転板の回転を円滑にするものであることを特徴とする請求項５に記載の組立式植木鉢。
【発明の詳細な説明】
【技術分野】
【０００１】
本発明は、組立式植木鉢に関し、より詳細には、複数個の水栽培鉢が積層され、利用可能空間を増やすことができる組立式植木鉢に関するものである。
【背景技術】
【０００２】
従来から、多数の植物を室内で育てる場合において、複数個の植木鉢に植物を植えて並べるか、又は木の枝や壁などに植木鉢を吊り下げる方法が採用されていた。
しかし、上記方法では、利用可能空間が減るので、狭い空間内での多数の植物栽培には適さないという問題点があった。
【発明の概要】
【発明が解決しようとする課題】
【０００３】
本発明の目的は、複数個の水栽培鉢を積層し、狭い空間内でも多数の植物を栽培できる組立式植木鉢を提供することにある。
本発明の別の目的は、小さな動力で下部の養液を上部に汲み上げ、その重量を利用して植木鉢を回転させることによって、全ての植物にあらゆる方向から光が均一に照射されうる組立式植木鉢を提供することにある。
【課題を解決するための手段】
【０００４】
これらの目的を達成するため、本発明に係る組立式植木鉢は、養液を入れる円筒状の水槽と、この水槽の上部に配置されて回転する回転板と、この回転板を回転させる回転手段とを備える。ここで、回転板は、植物を挿入可能な筌（うえ）構造部材用孔を有する。回転板の上部には、水栽培鉢の挿入を受けるための鉢挿入口が設けられ、回転板の外周には、回転手段からの回転力の伝達を受けるための回転板ギアが形成される。組立式植木鉢は、さらに、鉢挿入口に挿入されて積層される水栽培鉢と、この水栽培鉢の上部を覆う鉢蓋とを備える。ここで、鉢蓋は、植物を水栽培鉢内に挿入可能な筌構造部材用孔を有する。
【発明の効果】
【０００５】
本発明に係る組立式植木鉢は、植物栽培可能な複数個の水栽培鉢が積層されるように構成されているので、狭い空間内でも多数の植物を栽培することができる。
また、本発明に係る組立式植木鉢は、小さな動力で下部の養液を上部に汲み上げ、その重量を利用して植木鉢を回転させるように構成されている。これにより、全ての植物にあらゆる方向から光が均一に照射されうる。
【図面の簡単な説明】
【０００６】
【図１】本発明の一実施例に係る組立式植木鉢の全体斜視図である。
【図２】本発明の一実施例に係る水栽培鉢の斜視図である。
【図３】図２の水栽培鉢の平面図である。
【図４】本発明の一実施例に係る回転手段の斜視図である。
【図５】本発明の一実施例に係る回転手段及び水栽培鉢の一部断面図である。
【図６】回転手段及び水栽培鉢の図５よりさらに広い部分を示した一部断面図である。
【図７】本発明の一実施例に係る筌構造部材の斜視図である。
【図８】図７の筌構造部材の横断面図である。
【図９】本発明の別の実施例に係る筌構造部材が挿入された水栽培鉢の斜視図である。
【図１０】本発明の別の実施例に係る筌構造部材の斜視図である。
【図１１】本発明の別の実施例に係る筌構造部材が取り外された状態の水栽培鉢の斜視図である。
【図１２】本発明のさらに別の実施例に係る組立式植木鉢の全体分解斜視図である。
【図１３】本発明のさらに別の実施例に係る回転板の背面斜視図である。
【図１４】図１２の組立式植木鉢の組み立てられた状態の斜視図である。
【図１５】図１４の組立式植木鉢を垂直断面図である。
【発明を実施するための形態】
【０００７】
図１は、本発明の一実施例に係る組立式植木鉢の全体斜視図である。
図１に示されるように、本発明に係る組立式植木鉢は、水栽培鉢１０と回転保持部材２０とを備える。水栽培鉢１０は複数個あって、それらが順次積層されるようになっている。回転保持部材２０は、水栽培鉢１０の下部に配置されて水栽培鉢１０を回転させる回転手段２１を有する。
【０００８】
水栽培鉢１０には、複数個の筌構造部材用孔１１が形成されている。それぞれの筌構造部材用孔１１には、植物が植えられる複数個の筌構造部材３０（図７参照）が挿入される。複数個の水栽培鉢１０が積層されるため、利用可能空間が増える。
また、水栽培鉢１０は、回転手段２１によって一定の速度で回転せしめられる。これにより、全ての方向の植物にあらゆる方向から光が均一に供給されうる。
【０００９】
図２は、本発明に係る組立式植木鉢の水栽培鉢１０を示したものである。
図２に示されるように、本発明の水栽培鉢１０は、鉢挿入口１２と、該鉢挿入口１２の周囲に形成された多数個の筌構造部材用孔１１とを備えている。鉢挿入口１２には、上層の別の水栽培鉢１０が挿入される。筌構造部材用孔１１には、筌構造部材３０が挿入される。
【００１０】
水栽培鉢１０の下部には、挿入部１４と係止突起１３が形成されている。挿入部１４は、別の水栽培鉢１０の鉢挿入口１２に挿入される。係止突起１３は、この挿入部１４の鉢挿入口１２への挿入深さを制限するための所定の高さを有している。
鉢挿入口１２の直径Ａは、挿入部１４の直径Ｂより若干大きいが、係止突起１３の直径より小さい。このため、挿入部１４は、鉢挿入口１２に挿入されるが、係止突起１３によって制限されてさらに深くまでは挿入されなくなる。
水栽培鉢１０の下部の外周には、挿入部歯車１５が形成される。挿入部歯車１５は、回転手段２１からの回転力の伝達を受けるようになっている。
【００１１】
図３は、図２の水栽培鉢１０の平面図である。
図３に示されるように、本発明に係る組立式植木鉢の水栽培鉢１０の下部には、少なくとも二つの開口１６ａ、１６ｂ（給水用開口１６ａ、養液排出用開口１６ｂ）が形成されている。給水用開口１６ａには、下層の養液を上層に供給するための給水用ホース１８（図５参照）が挿入される。養液排出用開口１６ｂには、上層の養液を真下の下層に供給するための養液排出ホース１９（図５参照）が挿入される。
【００１２】
図４は、本発明に係る組立式植木鉢の回転保持部材２０を示したものである。
図４に示されるように、回転保持部材２０の中央には回転テーブル２２が形成される。この回転テーブル２２には水栽培鉢１０が載置される。
回転テーブル２２の上部には、複数個のローラー２３が放射状に設けられている。これらのローラー２３は、水栽培鉢１０の回転を円滑にする。
回転保持部材２０の一側には回転手段２１が配置される。回転手段２１は、水栽培鉢１０の挿入部歯車１５と噛み合って水栽培鉢１０を回転させる。
【００１３】
図５は、回転保持部材２０及び該回転保持部材２０上に配置された水栽培鉢１０の一部の垂直断面図である。
図５に示されるように、回転保持部材２０の真上に配置された水栽培鉢１０の開口１６ａ、１６ｂは、蓋１６−１により閉じられる。水栽培鉢１０の内部には養液を上部にポンピングしうるポンピング手段１７が配置される。
ポンピング手段１７は上部に養液を供給するための給水用ホース１８と接続される。
【００１４】
図６は図５よりさらに広い部分を図示した断面図である。
図６を参照して、本発明に係る組立式植木鉢では、最下層に回転保持部材２０が配置され、その上に多数個の水栽培鉢１０が積層される。
積層された水栽培鉢１０のうちのの最下層の水栽培鉢１０の開口１６ａ、１６ｂは、蓋１６−１によって閉じられる。これによって、最下層の水栽培鉢１０内に養液が貯められる。
【００１５】
最下層の水栽培鉢１０内には、養液を上部にポンピングしうるポンプ１７が収納される。
給水用ホース１８の一端はポンプ１７に接続される。給水用ホース１８の他端は、上層の水栽培鉢１０の給水用開口１６ａを通って最上層の水栽培鉢１０に接続される。
ポンプ１７が作動することにより、最下層の水栽培鉢１０の養液は給水用ホース１８内を通って最上層の水栽培鉢１０に供給される。
【００１６】
最上層の水栽培鉢１０に供給された養液は、養液排出ホース１９内を通って下層の水栽培鉢１０に排出される。このとき、養液排出ホース１９の高さ以上の養液だけが養液排出ホース１９内を通って下層の水栽培鉢１０に排出される。残りの養液は最上層の水栽培鉢１０内に貯められる。したがって、筌構造部材３０で栽培される植物に養液を長期間供給することができる。
【００１７】
各層の水栽培鉢１０でも、同じ方式で養液が一定の高さに保存される。
養液排出ホース１９は、水栽培鉢１０の内部で所定の高さだけ上部に突出し、任意の高さで折り曲げられるように形成されていてもよい。
【００１８】
図７は本発明に係る筌構造部材３０の概略的な形態を示したものである。
図７に示されるように、筌構造部材３０は魚を捕獲する筌に似た形状を有している。筌構造部材３０は、筌構造部材用孔１１に挿入され易くするために、下部に向かって幅が狭くなるように形成されるのが好ましい。
【００１９】
図８は図７の筌構造部材３０の横断面図である。
図８に示されるように、筌構造部材３０のフレーム３１の切断面は、三角形形状になっている。これにより、筌構造部材３０内に栽培される植物の根は、フレーム３１間の隙間から外側へ向かって伸び易くなる。
【００２０】
図９〜１１は、本発明の別の実施例に係る組立式植木鉢を示した図である。
図９〜１１に図示された組立式植木鉢は、単位ブロック用孔１１１が形成された水栽培鉢１１０を備える。単位ブロック用孔１１１の大きさは、図２に示された水栽培鉢１０の筌構造部材用孔１１のそれより大きい。図１０に示されるように、単位ブロック１３２は、単位ブロック用孔１１１の大きさに対応しており、筌構造部材用孔１３１を取り囲んでいる。
単位ブロック１３２及び単位ブロック用孔１１１は、四角形形状に形成されるのが好ましいが、その形状は何ら制限されない。
【００２１】
図１１に示されるように、水栽培鉢１１０において、単位ブロック１３２及び単位ブロック用孔１１１は四角形形状になっている。単位ブロック１３２を単位ブロック用孔１１１から取り外すことができるため、水栽培鉢１１０の内部の手入れが容易になる。さらに、単位ブロック１３２を取り外した状態でも、植物を栽培することは可能となる。
単位ブロック用孔１１１間には、それぞれ隔壁（壁柱）が形成される。これらの隔壁は、上部に積層される水栽培鉢１１０の重量に耐えられるようになっている。
【００２２】
図１２〜図１５は、本発明のさらに別の実施例に係る組立式植木鉢を図示する。
図１２は、この組立式植木鉢の分解斜視図である。
図１２に示されるように、この組立式植木鉢は、水槽２５０と、回転板２６０と、回転手段２７０と、多数個の水栽培鉢２１０と、鉢蓋２４０とを備える。
水槽２５０は、最下層に配置され、養液が入れられるように円筒形状となっている。回転板２６０は、水槽２５０の上部に配置され、回転するようになっている。回転手段２７０は回転板２６０を回転させる。多数個の水栽培鉢２１０は回転板２６０の上部に順次積層される。鉢蓋２４０は、水栽培鉢の上部を覆うためのものである。
【００２３】
水槽２５０内には植物に供給される養液が入っている。
水槽２５０内に入っている養液は、回転手段２７０と連結された通路２５２を通って回転手段２７０に供給される。そして、この養液は、回転手段２７０によってホース２７４内を通って最上層水栽培鉢２１０に供給される。
最上層の水栽培鉢２１０の養液の一部は、真下の下層の水栽培鉢２１０に流れる。そして、同じ方式でその次の下層の水栽培鉢２１０に流れて、最終的に水槽２５０へ戻ってくる。
水槽２５０は水槽２５０の上部に配置された回転板２６０が回転できるように円筒形状であることが好ましいが、その形状は何ら制限されない。
【００２４】
本発明のさらに別の実施例に係る組立式植木鉢は、複数個のボールベアリング２５１をさらに備えていてもよい。これらのボールベアリング２５１は、水槽２５０と回転板２６０とが接触する外周のエッジ部分における摩擦力を低減し、回転板２６０の回転をスムーズにするためのものである。
水槽２５０と回転板２６０とが互いに接触する部分は、ボールベアリング２５１が離脱しないように溝状に形成されるのが好ましい。
【００２５】
回転板２６０の外周側面のエッジ部分には、歯車形状の回転板ギア２６３が形成される。この回転板ギア２６３には、回転手段２７０からの回転力が伝達される。
回転板２６０の上部面には、鉢挿入口２６２が形成されているのが好ましい。この鉢挿入口２６２は、水栽培鉢２１０が挿入できるように水栽培鉢２１０の挿入部２１４の大きさに対応したサイズになっている。
また、回転板２６０の上部面には、多数個の筌構造部材用孔２６１が形成される。多数個の筌構造部材用孔２６１は、鉢挿入口２６２の周囲に形成される。筌構造部材用孔２６１内には植物が植えられる。
ここで、筌構造部材用孔２６１の周囲には下向きの隔壁が形成される。この隔壁により、回転板の支持力が高められ、植物の栽培が容易になる。
【００２６】
図１３は回転板２６０の背面図である。
図１３に示されるように、筌構造部材用孔２６１及び鉢挿入口２６２の周囲には、隔壁が形成される。これらの隔壁は、筌構造部材用孔２６１及び鉢挿入口２６２を仕切るように互いに連結されて形成される。また、隔壁は回転板２６０の荷重に耐えられるようになっている。
【００２７】
また、図１２に示されるように、回転板２６０の上層には水栽培鉢２１０が配置される。水栽培鉢２１０の挿入部２１４は、回転板２６０の鉢挿入口２６２内に挿入される。
水栽培鉢２１０には、係止突起２１３が形成されるのが好ましい。この係止突起２１３は、挿入部２１４が鉢挿入口２６２内に所定の深さまで挿入されるがそれ以上の深さまで挿入されるのを防止するためのものである。
【００２８】
水栽培鉢２１０の上部が鉢蓋２４０で覆われることによって、他の水栽培鉢２１０が積層されないようになっている。回転板２６０の場合と同様に、鉢蓋２４０の鉢挿入口２４２の周囲には下向きの隔壁が形成される。また、鉢蓋２４０の鉢挿入口２４２の周りには、植物栽培可能な多数個の筌構造部材用孔２４１が形成される。各筌構造部材用孔２４１の周囲には下向きの隔壁が形成される。
これらの隔壁は、回転板２６０の鉢挿入口２６２及び筌構造部材用孔２６１の場合と同様に、鉢挿入口２４２および筌構造部材用孔２４１を仕切るように、隔壁間が互いに連結されて形成される。これにより、隔壁は、水栽培鉢２１０を堅固に支持することができる。
本実施例の組立式植木鉢によれば、筌構造部材用孔２４１、２６１の周囲には隔壁が形成されているため、筌構造部材が不要となる。
【００２９】
一方、水栽培鉢２１０の下部面には、この面を垂直方向に上下に貫通する開口２１６が少なくとも１つ形成される。この開口２１６は、この下部面から所定の高さだけ上部に突出するように形成されていてもよい。
【００３０】
また、排出ホース２１５は、水栽培鉢２１０の開口２１６内を通ってこの下部面から所定の高さだけ突出するように、配置される。これにより、排出ホース２１５の開口の高さより低い高さにある養液は、下層に流れることなく水栽培鉢２１０内にためられる。
なお、本発明に係る組立式植木鉢の積層される水栽培鉢２１０の個数は何ら限定されない。
【００３１】
本実施例に係る回転手段２７０は、ポンプ２７１と、水車２７３と、かさ歯車２７２とを備えている。
ポンプ２７１は、水槽２５０の養液を最上層の水栽培鉢２１０まで汲み上げる。水車２７３は、ポンプ２７１によって上部に汲み上げられた養液の落下を利用して、垂直回転するようになっている。かさ歯車２７２は、回転板ギア２６３に噛み合わされて水車２７３の垂直回転を水平回転に変換し、回転板２６０を水平回転させる。
また、回転手段２７０は、水槽２５０から最上層の水栽培鉢２１０まで養液を運搬することができるホース２７４をさらに備えているのが好ましい。
【００３２】
ホース２７４は、水車２７３の上部付近で２方向に分離されている。これにより、養液の一部は、水車２７３に供給されて、水車２７３を回転させる。残りの養液は、最上層の水栽培鉢２１０に供給される。
【００３３】
回転手段２７０は、調節レバー２７５と流路２７６をさらに備えているのが好ましい。
調節レバー２７５は、ホース２７４から水車２７３に供給される養液の量を調節する。
流路２７６は、ホース２７４から水車２７３に供給される養液が安定した速度で一定の方向に流れるようにするためのものであり、雨樋のような構造を有している。
【００３４】
水車２７３の回転数に対する回転板２６０の回転数の割合は、回転板ギア２６３及びかさ歯車２７２のギア比の割合によって調節される。なお、これが当業者にとって自明であるのは言うまでもない。
また、回転手段２７０は、ハウジング２７７をさらに備えるのが好ましい。このハウジング２７７は、水槽２５０から供給される養液及び水車２７３から落下する養液を入れるためのものである。
【００３５】
ハウジング２７７は、回転手段２７０の全体を覆って、該回転手段を保護するように構成されている。あるいは、ハウジング２７７は、回転手段２７０の一部だけを覆って、該回転手段を保護する構成されてもよい。
また、ハウジング２７７は透明な材質で形成されてもよい。これにより、水車２７３の回転及び養液の流れを外部から視覚的に認識可能になるので、美感が向上する。
【００３６】
図１４は図１２の組立式植木鉢の結合斜視図である。
図１４は回転板２６０に積層される水栽培鉢２１０を２個図示したものであるが、水栽培鉢２１０の個数は何ら制限されない。
図１４に示されるように、この組立式植木鉢は、筌構造部材用孔２４１、２６１に植物が植えられた状態で、回転手段２７０によって回転板２６０が回転するようになっている。したがって、全ての植物は、あらゆる方向から光を均一に受けることができる。
水槽２５０に入っている養液は、回転手段２７０によって最上層の水栽培鉢２１０に供給される。
【００３７】
以下、図１５を参照して本発明に係る組立式植木鉢の動作過程を説明する。
まず、水槽２５０内の養液は、通路２５２を通って回転手段２７０のハウジング２７７内に供給され、回転手段２７０のポンプ２７１によってホース２７４内を通って上部に汲み上げられる。
汲み上げられた養液の一部は、最上層水栽培鉢２１０に供給され、その残りは水車２７３に供給される。
最上層の水栽培鉢２１０に供給された養液は、排出ホース２１５の開口の高さまで入れられる。排出ホース２１５の開口の高さを超えてさらに供給された養液は、排出ホース２１５内を通って下層の水栽培鉢２１０に排出される。
【００３８】
上記のような過程で、最下層の水栽培鉢２１０から排出された養液は、排出ホース２１５の開口の高さまで入れられる。排出ホース２１５の開口の高さを超えてさらに供給された養液は、排出ホース２１５内を通って最終的に水槽２５０に供給される。
一方、水車２７３側に供給される養液は、流路２７６上を一定速度かつ一定量で流れ、水車２７３に供給される。
水車２７３は、供給された養液が落下することによって垂直回転する。これにより、かさ歯車２７２が回転する。
かさ歯車２７２は、垂直回転を水平回転に変換するものである。かさ歯車２７２は、、水平ギアが水平回転して回転板２６０の回転板ギア２６３と噛み合うことで、回転板２６０を回転させるようになっている。
回転板２６０の上部に積層された多数個の水栽培鉢２１０は、回転板２６０の回転によって共に回転する。
従って、筌構造部材用孔２４１、２６１に植えられた全方向の植物は、水栽培鉢２１０及び回転板２６０の回転によってどの方向からも均一に光を受けることができる。
【００３９】
上記した本発明の好ましい実施例は、例示の目的のためにだけに開示しており、本発明に対する通常の知識を有する当業者であれば本発明の思想と範囲内で様々な修正、変更及び付加が可能である。このような修正、変更及び付加は本発明の範囲を何ら制限するものではない。
【図１】
2010510806.tif 000003
【図２】
2010510806.tif 000004
【図３】
2010510806.tif 000005
【図４】
2010510806.tif 000006
【図５】
2010510806.tif 000007
【図６】
2010510806.tif 000008
【図７】
2010510806.tif 000009
【図８】
2010510806.tif 000010
【図９】
2010510806.tif 000011
【図１０】
2010510806.tif 000012
【図１１】
2010510806.tif 000013
【図１２】
2010510806.tif 000014
【図１３】
2010510806.tif 000015
【図１４】
2010510806.tif 000016
【図１５】
2010510806.tif 000017
【国際調査報告】
2010510806.tif 000018
2010510806.tif 000019
2010510806.tif 000020